(57)【要約】      （修正有）【課題】繰り返し利用することができ、幅広い描写表現を可能とする筆記媒体である樹脂製板を提供する。【解決手段】塩化ビニル、ポリエチレン系樹脂、ポリプロピレン系樹脂などを用いた透明色の平面板からなる四角形状の樹脂製板であって、複数枚重ねあわされている。【選択図】図１
0003165489.tif 000002
【実用新案登録請求の範囲】
【請求項１】
主に塩化ビニールもしくはポリエチレン系樹脂、ポリプロピレン系樹脂などを用いた筆記画媒体であって、従来の紙製品を用いた筆記材にとらわれない筆記画媒体。
【請求項２】
請求項１に記載の筆記画媒体であって、主に透明材質上に筆記または描写することを目的とした筆記画媒体
【請求項３】
請求項２に記載の筆記画媒体であって、透明画材、故に複数枚重ね合わせることを可能とし、個々の描写表現を自由自在に重ね合わせることによる、描写表現力の変化を有効とした筆記画媒体
【請求項４】
請求項３に記載の筆記画媒体であって、繰り返し使用可能とした筆記画媒体
【考案の詳細な説明】
【技術分野】
【０００１】本考案は、主に透明な塩化ビニール樹脂及びポリエチレン系樹脂を複数枚使用し、画像の合成や、転写などの機能を備えた筆記媒体を提供することを目的とする。
【背景技術】
【０００２】日常生活において、筆記媒体としての物品は多種多様に存在し、且つ頻繁に使用されているもの、例えば、ノートブック、手帳、スケッチブック、などが一般的である。【０００３】このように、幅広く用いられる理由として、人が頭脳上で処理したデータの一時的、もしくは恒久的な記憶の保持や移動、またイメージの視覚的具現化への最適な道具の一つであることが挙げられよう。【０００４】しかし、生活様式や生活嗜好の多様化に伴い、単に筆記、或いは描写媒体としての存在意義しか持ち合わしていない紙製品媒体から、他の物質的構成品から成る媒体への変遷へと移り代ろうとしている、例えるならパソコンや電子手帳などがそれである。
【考案の開示】
【考案が解決しようとする課題】
【０００５】〔０００４〕に記載した、電子情報処理ツールとしてのパソコンや電子手帳等は、与えられたデータを自在に編集出来、記憶の複製や移動などにも優位性を有しており、従来の紙製品媒体から飛躍的な利便性を提供してくれるものと言える。
しかし、上記の電子情報処理ツールでは、その処理能力の高さ故に、機構的に精密かつ複雑なものとなり、一般に紙製品と比較するまでもなく高価である。
しかも、取扱いには一定の配慮が必要で、電子製品特有の脆弱性は、電子的機能不全や物理的破損リスクとして保持しており、時としてその筆記描写情報を一瞬にして消滅あるいは滅失させてしまう恐れがある。
【課題を解決するための手段】
【０００６】以上の問題を解決するために、請求項１に記載の筆記媒体は樹脂板であって、アクリル系樹脂、塩化ビニール系樹脂、ポリエチレン系樹脂、ポリプロピレン系樹脂等を主原料としてなるものである【０００７】本考案の請求項２に記載の筆記媒体は、樹脂製品であることから、紙製品にはない透明色を有しており、透明色だけが持つ優位性として、請求項３に複数の樹脂板を重ねてもそれぞれの描写内容が透過し阻害されず合成された描写イメージを表現することができる。
この透過描写内容を重ねるという行為には、今までの不透過媒体では生まれてこない、価値創造を内包している。【０００８】本考案の請求項４に記載の筆記媒体は、樹脂製品であることから、紙製品などと比較して、耐久性に富み、一般的な消去可能タイプの水性顔料マーカーあるいは固形マーカーで筆記することで、何度も繰り返し使用できることを特徴とする、ただし、油性マーカーや硬質鉛筆（色鉛筆）などの筆記製品は適さない。
【考案の効果】
【０００９】本考案に係る筆記媒体であれば、従来の紙製材ではなく樹脂製材を用いることから、水濡れなどの汚損や物理的応力による破断等に対する耐性と、長期間の使用に対する耐摩耗性が飛躍的に向上させる事となる。
しかも、樹脂製筆記媒体であるがゆえ、透明色つまり透過媒体もその選択肢に加えることを容易にしたため、複数の透明板をお互いに重ね合わせる事ができ、一枚の筆記画どうしを自在に重ね合わせることによって単独の描写が合成描写となる、このことは、基調となる描写に別の描写を合成させその変化を表現させることができる、例を挙げるなら、建築や商業施設あるいは住宅などの見取り図を基調とし、別の透明樹脂板に仮想される構築物や家財などを描き重ね合わせるなどのレイアウトシュミレーションを試みたり、服飾ファッション等の装飾シュミレーションを想定した場合、デザイン画を基調に様々な装飾品イメージ画をデザイン画上に重ねることで、実際に装飾することなく、しかもスピーディにシュミレートすることが出来る。
また、実業の範疇だけでなく、学習教材や趣味の世界でも、その利用価値を見出すことは可能で、一般に入手可能な消去可能なホワイトボード用マーカーや同じく消去可能な色鉛筆などを使って、ひらがなや漢字の筆記練習を行える、これは、透明樹脂板が上に重なるように、あらかじめ模範となる字体を記載したシートなどを挟み込み、その上（透明樹脂板）で、何度も書き消しをしながら、文字の上達を促すこともできる。
また、風景画や抽象画などを画材に、子供たちに自由な絵画を描写させ、それぞれの絵画どうしを色々なパターンで重ね合わせて個々別の絵画表現を複数の絵画に合成することで、また趣の異なった描写合成が生まれ、創造力や空想力ばど、学ぶ者の知的好奇心を刺激する、新たな教材ともなろう。
つまりその利用方法は、多彩といえ、年齢や性別に関わらず、あらゆる利用者がこれらの効果を享受できるものである。
しかも、昨今の環境配慮型社会での使用を考えるうえでのアドバンテージを述べるなら、それはやはり紙製品などとは違い、使い捨てを想定しておらず物理的破損を例外として半永久的に使用できるため廃棄物を出さず、焼却等による二酸化炭素の排出量を極力抑えることが出来ることもその大きな特徴である。
【考案を実施するための最良の形態】
【００１０】以下、本考案の実施の形態について説明する。尚、ここで示す実施の形態はあくまでも一例であって、必ずしもこの実施の形態に限定されるものではない。【００１１】（実施の形態１）
本考案に係る樹脂製筆記媒体に関し、以下第１の形態として説明する。【００１２】まず、媒体の基となる樹脂製板は、本考案時においては、概ね塩化ビニールやポリエチレン系樹脂あるいは、ポリプロピレン系樹脂が主流としているが、今後の化学技術的進歩により、その材質の選考をなんら限定するものではない。【００１３】次に、その樹脂製筆記媒体への筆記方法であるが、樹脂である点と、繰り返し使用することを考慮するならば、やはり一度筆記すると非常に消しにくい油性マーカーや、筆記面に筆記し辛い、硬質ペンなどは避けるべきである。
では、どの様な筆記具が最適なのかであるが、それは、樹脂材への化学的着色あるいは、染色をしないタイプの筆記具であり、樹脂表面上にインクが留まる状態が理想である。
しかし、これは一般に入手が容易で、書いた後に容易に消去することを念頭に製造された、所謂水性ホワイトボード用マーカーや消せる色鉛筆等がそれにあたり、特殊なインク等を想定したものではない。【００１４】次に、これら樹脂媒体のなかでも、透明色を使用した場合は、常に描写内容とその内容以外の領域が、透過により合成されることを利用して、様々に重ね合わせてみたり、透過してくる描写内容上にあらたな筆記あるいは描写を追加することで、視覚的変化を楽しむことができよう、これは本考案の主幹を成すものであり、この機能を有効に活用して、描写合成をによる付加価値を享受できるものである。【００１５】〔００１３〕に記載した、消去可能な筆記具による筆記描写内容は、当然に容易に消去することが可能でティシュペーパーやウエスなどで拭きとればよい、だだし、水分を僅かに含ませて拭き取る法がよりすばやく拭き取りできるタイプのものも存在することを付け加えておく。【００１６】つまり、紙製品への鉛筆での筆記を消しゴムなどで消し取るよりも、容易に完了し、しかも筆記描写痕をほとんど残すことなく綺麗に処理できるものである。【００１７】以上のように、本考案の樹脂製筆記媒体であれば、従来の紙製品には実現できなかった、繰り返しの利用と、その描写表現が非常に幅広いものへとすることが可能とするものである。
0003165489.tif 000003
【手続補正書】
【提出日】平成22年10月7日(2010.10.7)
【手続補正１】
【補正対象書類名】実用新案登録請求の範囲
【補正対象項目名】全文
【補正方法】変更
【補正の内容】
【実用新案登録請求の範囲】
【請求項１】
主に塩化ビニールもしくはポリエチレン系樹脂、ポリプロピレン系樹脂などを用いた透明色の平面板からなる四角形状の樹脂製板であって、従来の紙製品を用いた筆記材にとらわれない樹脂製板。
【請求項２】
請求項１に記載の樹脂製板であって、主に透明材質上に筆記または描写することを目的とした樹脂製板。
【請求項３】
請求項２に記載の樹脂製板であって、主に塩化ビニールもしくはポリエチレン系樹脂、ポリプロピレン樹脂などからなる樹脂製板が透明画材であり、複数枚重ね合わせられており故に個々の描写表現を自由自在に重ね合わせることによる、描写表現力の変化を有効とした樹脂製板。
【請求項４】
請求項３に記載の樹脂製板であって、繰り返し使用可能とした樹脂製板
【手続補正２】
【補正対象書類名】明細書
【補正対象項目名】全文
【補正方法】変更
【補正の内容】
【考案の詳細な説明】
【技術分野】
【０００１】本考案は、主に透明な塩化ビニール樹脂及びポリエチレン系樹脂を複数枚使用し、画像の合成や、転写などの機能を備えた筆記媒体を提供することを目的とする。
【背景技術】
【０００２】日常生活において、筆記媒体としての物品は多種多様に存在し、且つ頻繁に使用されているもの、例えば、ノートブック、手帳、スケッチブック、などが一般的である。【０００３】このように、幅広く用いられる理由として、人が頭脳上で処理したデータの一時的、もしくは恒久的な記憶の保持や移動、またイメージの視覚的具現化への最適な道具の一つであることが挙げられよう。【０００４】しかし、生活様式や生活嗜好の多様化に伴い、単に筆記、或いは描写媒体としての存在意義しか持ち合わしていない紙製品媒体から、他の物質的構成品から成る媒体への変遷へと移り代ろうとしている、例えるならパソコンや電子手帳などがそれである。
【考案の開示】
【考案が解決しようとする課題】
【０００５】［０００４］に記載した、電子情報処理ツールとしてのパソコンや電子手帳等は、与えられたデータを自在に編集出来、記憶の複製や移動などにも優位性を有しており、従来の紙製品媒体から飛躍的な利便性を提供してくれるものと言える。しかし、上記の電子情報処理ツールでは、その処理能力の高さ故に、機構的に精密かつ複雑なものとなり、一般に紙製品と比較するまでもなく高価である。しかも、取扱いには一定の配慮が必要で、電子製品特有の脆弱性は、電子的機能不全や物理的破損リスクを保持しており、時としてその筆記描写情報を一瞬にして消滅あるいは滅失させてしまう恐れがある。
【課題を解決するための手段】
【０００６】以上の問題を解決するために、請求項１に記載の筆記媒体は樹脂板であって、アクリル系樹脂、塩化ビニール系樹脂、ポリエチレン系樹脂、ポリプロピレン系樹脂等を主原料としてなるものである【０００７】本考案の請求項２に記載の筆記媒体は、樹脂製品であることから、紙製品にはない透明色を有しており、透明色だけが持つ優位性として、請求項３に複数の樹脂板を重ねてもそれぞれの描写内容が透過し阻害されず合成された描写イメージを表現することができる。この透過描写内容を重ねるという行為には、今までの不透過媒体では生まれてこない、価値創造を内包している。【０００８】本考案の請求項４に記載の筆記媒体は、樹脂製品であることから、紙製品などと比較して、耐久性に富み、一般的な消去可能タイプの水性顔料マーカーあるいは固形マーカーで筆記することで、何度も繰り返し使用できることを特徴とする、ただし、油性マーカーや硬質鉛筆（色鉛筆）などの筆記製品は適さない。
【考案の効果】
【０００９】本考案に係る筆記媒体であれば、従来の紙製材ではなく樹脂製材を用いることから、水濡れなどの汚損や物理的応力による破断等に対する耐性と、長期間の使用に対する耐摩耗性が飛躍的に向上する事となる。しかも、樹脂製筆記媒体であるがゆえ、透明色つまり透過媒体もその選択肢に加えることを容易にしたため、複数の透明板をお互いに重ね合わせる事ができ、一枚の筆記画どうしを自在に重ね合わせることによって単独の描写が合成描写となる、このことは、基調となる描写に別の描写を合成させその変化を表現させることができる、例を挙げるなら、建築や商業施設あるいは住宅などの見取り図を基調とし、別の透明樹脂板に仮想される構築物や家財などを描き重ね合わせるなどのレイアウトシュミレーションを試みたり、服飾ファッション等の装飾シュミレーションを想定した場合、デザイン画を基調に様々な装飾品イメージ画をデザイン画上に重ねることで、実際に装飾することなく、しかもスピーディにシュミレートすることが出来る。また、実業の範疇だけでなく、学習教材や趣味の世界でも、その利用価値を見出すことは可能で、一般に入手可能な消去可能なホワイトボード用マーカーや同じく消去可能な色鉛筆などを使って、例えば、ひらがなや漢字の筆記練習などにも使用可能であり、これは、透明樹脂板が上に重なるように、あらかじめ模範となる字体を記載したシートなどを挟み込み、その上部（透明樹脂板）で、何度も書き消しをしながら、文字の上達を促すこともできる。また、風景画や抽象画などを画材として、子供たちに自由な絵画を描写させ、それぞれの絵画どうしを色々なパターンで重ね合わせて個々別の絵画表現を複数の絵画に合成することで、また趣の異なった描写合成が生まれ、創造力や空想力などの、知的好奇心を刺激するといった、新たな教材ともなろう。つまりその利用方法は、多彩といえ、年齢や性別に関わらず、あらゆる利用者がこれらの効果を享受できるものである。しかも、昨今の環境配慮型社会での使用を考えるうえでのアドバンテージを述べるなら、それはやはり紙製品などとは違い、使い捨てを想定しておらず物理的破損を例外として半永久的に使用できるため廃棄物を出さず、焼却等による二酸化炭素の排出量を極力抑えることが出来ることもその大きな特徴である。
【考案を実施するための最良の形態】
【００１０】以下、本考案の実施の形態について説明する。尚、ここで示す実施の形態はあくまでも一例であって、必ずしもこの実施の形態に限定されるものではない。【００１１】（実施の形態１）本考案に係る樹脂製筆記媒体に関し、以下第１の形態として説明する。【００１２】まず、媒体の基となる樹脂製板は、本考案時においては、概ね塩化ビニールやポリエチレン系樹脂あるいは、ポリプロピレン系樹脂が主流としているが、今後の化学技術的進歩により、その材質の選考をなんら限定するものではない。【００１３】次に、その樹脂製筆記媒体への筆記方法であるが、樹脂である点と、繰り返し使用することを考慮するならば、やはり一度筆記すると非常に消しにくい油性マーカーや、筆記面に筆記し辛い、硬質ペンなどは避けるべきである。では、どの様な筆記具が最適なのかであるが、それは、樹脂材への化学的着色あるいは、染色をしないタイプの筆記具であり、樹脂表面上にインクが留まる状態が理想である。しかし、これは一般に入手が容易で、書いた後に容易に消去することを念頭に製造された、所謂水性ホワイトボード用マーカーや消せる色鉛筆等がそれにあたり、特殊なインク等を想定したものではない。【００１４】次に、これら樹脂媒体のなかでも、透明色を使用した場合は、常に描写内容とその内容以外の領域が、透過により合成されることを利用して、様々に重ね合わせてみたり、透過してくる描写内容上にあらたな筆記あるいは描写を追加することで、視覚的変化を楽しむことができよう、これは本考案の主幹を成すものであり、この機能を有効に活用して、描写合成による付加価値を享受できるものである。【００１５】［００１３］に記載した、消去可能な筆記具による筆記描写内容は、当然に容易に消去することが可能でティシュペーパーやウエスなどで拭きとればよい、だだし、水分を僅かに含ませて拭き取る法がよりすばやく拭き取りできるタイプのものも存在することを付け加えておく。【００１６】つまり、紙製品への鉛筆での筆記を消しゴムなどで消し取るよりも、容易に完了し、しかも筆記描写痕をほとんど残すことなく綺麗に処理できるものである。【００１７】以上のように、本考案の樹脂製筆記媒体であれば、従来の紙製品には実現できなかった、繰り返しの利用と、その描写表現が非常に幅広いものへとすることが可能とするものである。
【図面の簡単な説明】
【００１８】
【図１】透明樹脂板の正面図
【図２】透明樹脂板の平面図
【図３】結束リング（開放時）
【図４】姿図１（全閉時）
【図５】姿図２（１枚開頁時）
【符号の説明】１    透明樹脂板材（筆記媒体）２    結束用穴３    結束リング３−１  結束リング（開放時）
【手続補正３】
【補正対象書類名】図面
【補正対象項目名】全図
【補正方法】追加
【補正の内容】
【図１】
0003165489.tif 000004
【図２】
0003165489.tif 000005
【図３】
0003165489.tif 000006
【図４】
0003165489.tif 000007
【図５】
0003165489.tif 000008